(57)【要約】【課題】鏡筒径を大きくすることなく、沈胴長を短縮することができるレンズ鏡筒を提供する。【解決手段】撮影状態と沈胴状態とを有するレンズ鏡筒を設ける。レンズ鏡筒は、沈胴状態において、光軸上から退避する５群レンズユニットと、５群レンズユニットと隣接する４群レンズユニットとを備える。５群レンズユニットには、第１切り欠き部５０１ａと第２切り欠き部５０１ｂとが形成されている。沈胴状態において、第２切り欠き部５０１ｂに４群レンズユニットに含まれる４群レンズ４０１が配置される。【選択図】図１１
2017107127.tif 000002
【特許請求の範囲】
【請求項１】
撮影状態と沈胴状態とを有するレンズ鏡筒であって、
前記沈胴状態において、光軸上から退避する退避レンズ群と、
前記退避レンズ群と隣接する第１レンズ群とを備え、
前記退避レンズ群には、第１切り欠き部と第２切り欠き部とが形成されており、
前記沈胴状態において、前記第２切り欠き部に前記第１レンズ群に含まれるレンズが配置される
ことを特徴とするレンズ鏡筒。
【請求項２】
前記沈胴状態において、前記第２切り欠き部に前記第１レンズ群に含まれるレンズを保持するレンズ枠の一部が配置される
ことを特徴とする請求項１に記載のレンズ鏡筒。
【請求項３】
前記沈胴状態において、前記第１切り欠き部の領域のうち、前記第１レンズ群の最外周部より内側の領域に、前記第１レンズ群の外周部の一部が配置される
ことを特徴とする請求項１または請求項２に記載のレンズ鏡筒。
【請求項４】
前記沈胴状態において、前記第１切り欠き部の領域のうち、前記第１レンズ群の最外周部より内側の領域に、前記第１レンズ群に含まれるレンズを保持するレンズ枠の外周部の一部が配置される
ことを特徴とする請求項１乃至３のいずれか１項に記載のレンズ鏡筒。
【請求項５】
前記退避レンズ群は、フォーカスレンズ群である
ことを特徴とする請求項１乃至４のいずれか１項に記載のレンズ鏡筒。
【請求項６】
前記第１切り欠き部と前記第２切り欠き部は、前記退避レンズ群に含まれるレンズの使用領域外の外周部に形成されている
ことを特徴とする請求項１乃至５のいずれか１項に記載のレンズ鏡筒。
【請求項７】
前記第１レンズ群と隣接する第２レンズ群をさらに備え、
前記沈胴状態において、前記第２切り欠き部に前記第２レンズ群に含まれるレンズが配置される
ことを特徴とする請求項１乃至６のいずれか１項に記載のレンズ鏡筒。
【請求項８】
前記沈胴状態において、前記第２切り欠き部に前記第２レンズ群に含まれるレンズを保持するレンズ枠の一部が配置される
ことを特徴とする請求項７に記載のレンズ鏡筒。
【請求項９】
前記沈胴状態において、前記第１切り欠き部の領域のうち、前記第１レンズ群の最外周部より内側の領域に、前記第２レンズ群に含まれるベース部材の一部が配置される
ことを特徴とする請求項７または請求項８に記載のレンズ鏡筒。
【請求項１０】
請求項１乃至９のいずれか１項に記載のレンズ鏡筒を備える光学機器。
【請求項１１】
請求項１乃至９のいずれか１項に記載のレンズ鏡筒を備える撮像装置。
【発明の詳細な説明】
【技術分野】
【０００１】
本発明は、レンズ鏡筒、光学機器および撮像装置に関する。
【背景技術】
【０００２】
近年、カメラやビデオカメラ等の撮像装置は、高倍率化と小型化が進んでいる。したがって、撮像装置が備えるレンズ鏡筒は、非撮影時に沈胴状態となる際に、レンズ鏡筒内の一部のレンズ群を光軸上から退避させる。レンズ鏡筒は、撮影状態では、各レンズ群間の距離が撮影に必要な距離となるようにカメラ筐体内から繰り出させる。特許文献１は、撮影状態から沈胴状態へ移行する場合に、退避レンズを退避させることで、レンズ鏡筒収納時の沈胴長を短縮させるレンズ鏡筒を開示している。
【先行技術文献】
【特許文献】
【０００３】
【特許文献１】特開２０１２−４２６４９号公報
【発明の概要】
【発明が解決しようとする課題】
【０００４】
特許文献１が開示するレンズ鏡筒では、退避レンズをレンズ鏡筒の最外径よりも外側まで退避させているので、レンズ鏡筒のサイズが大きくなる。また、このレンズ鏡筒では、退避レンズを鏡筒側面に退避させるための穴を空けることが必要となり、強度や、耐環境性などの信頼性が低下してしまう。本発明は、鏡筒径を大きくすることなく、沈胴長を短縮することができるレンズ鏡筒の提供を目的とする。
【課題を解決するための手段】
【０００５】
本発明の一実施形態のレンズ鏡筒は、撮影状態と沈胴状態とを有するレンズ鏡筒である。前記レンズ鏡筒は、前記沈胴状態において、光軸上から退避する退避レンズ群と、前記退避レンズ群と隣接する第１レンズ群とを備える。前記退避レンズ群には、第１切り欠き部と第２切り欠き部とが形成されており、前記沈胴状態において、前記第２切り欠き部に前記第１レンズ群に含まれるレンズが配置される。
【発明の効果】
【０００６】
本発明のレンズ鏡筒によれば、鏡筒径を大きくすることなく、沈胴長を短縮することができる。
【図面の簡単な説明】
【０００７】
【図１】本実施形態の光学機器の斜視図である。
【図２】デジタルカメラに搭載されるレンズ鏡筒の斜視図である。
【図３】レンズ鏡筒の分解斜視図である。
【図４】レンズ鏡筒の沈胴位置での断面図である。
【図５】レンズ鏡筒の撮影位置での断面図である。
【図６】５群ユニットの構成を示す図である。
【図７】退避レンズ群および第１直進筒が、撮影状態から沈胴状態へと移行する際の動きを説明する図である。
【図８】退避レンズ群および第１直進筒が、撮影状態から沈胴状態へと移行する際の動きを説明する図である。
【図９】撮影状態における、３群ユニット、４群ユニット、５群ユニットの状態を示す図である。
【図１０】沈胴状態における、３群ユニット、４群ユニット、５群ユニットの状態を示す図である。
【図１１】沈胴状態における退避レンズ群とその近傍のレンズ群の関係を説明する図である。
【発明を実施するための形態】
【０００８】
図１は、本実施形態の光学機器の斜視図である。図１に示す光学機器は、撮像装置の一例としてのデジタルカメラである。図２は、図１に示すデジタルカメラに搭載されるレンズ鏡筒の斜視図である。
【０００９】
図１及び図２に示すように、デジタルカメラは、カメラ本体１０の正面側にズーム式のレンズ鏡筒２０を備える。レンズ鏡筒２０は、非撮影時の状態である沈胴状態と、撮影時の状態である撮影状態とを有する。レンズ鏡筒２０が備える撮影光学系は、ズーム駆動部９１０によって駆動されて、撮影状態に対応する撮影位置と、沈胴状態に対応する沈胴位置との間を光軸方向に移動して撮影倍率を変更する。
【００１０】
図３は、レンズ鏡筒の分解斜視図である。図４は、レンズ鏡筒の沈胴位置での断面図である。図５は、レンズ鏡筒の撮影位置での断面図である。また、図６は、５群ユニットの構成を示す図である。
【００１１】
レンズ鏡筒２０の撮影光学系は、１群レンズ１０１を有する１群ユニット１００、２群レンズ２０１を有する２群ユニット２００、３群レンズ３０１ａ、３０１ｂを有する３群ユニット３００を備える。なお、以下の説明では、３群レンズ３０１ａおよび３０１ｂを、単に３群レンズ３０１とも記述する。また、この撮影光学系は、４群レンズ４０１を有する４群ユニット４００、および５群レンズ５０１を有する５群ユニット５００を備える。
【００１２】
内カム筒６０１には、内周部に第１直進筒６０２をバヨネット結合により回転可能に保持し、２群レンズ枠２０２のフォロア２０２ａと嵌合するカム溝６０１ｄが設けられている。内カム筒６０１の外周部には、第２直進筒７０２のカム溝７０２ｃと嵌合するフォロア６０１ａ、内カムカバー６０３の係合部６０３ａと係合する係合部６０１ｂ、外カム筒７０１の直進溝７０１ｅと嵌合する直進キー６０１ｅが設けられている。また、内カム筒６０１には、１群鏡筒１０２のフォロア１０２ａと嵌合するカム溝６０１ｃが設けられている。内カムカバー６０３は、外周部に、内カム筒６０１の係合部６０１ｂと係合する係合部６０３ａが設けられており、内カム筒６０１に組み付けられる。
【００１３】
第１直進筒６０２の外周部には、１群鏡筒１０２の内側に設けられた直進溝（不図示）と嵌合する直進キー６０２ａが設けられている。第１直進筒６０２の内周部には、２群レンズ枠２０２の直進キー２０２ｂと嵌合する直進溝６０２ｂ、３群ベース３０２の直進キー３０２ｂの直進溝６０２ｃが設けられている。
【００１４】
外カム筒７０１には、内周部に第２直進筒７０２のフォロア７０２ａと嵌合するカム溝７０１ｆが設けられている。外カム筒７０１の外周部には、固定筒８０２のカム溝８０２ｂと嵌合するフォロア７０１ａ、回転筒８０１の直進溝８０１ａと嵌合する直進キー７０１ｂが設けられている。また、外カム筒７０１の内周部には、３群ベース３０２のフォロア３０２ａと嵌合するカム溝７０１ｃ、４群レンズ枠４０２のフォロア４０２ａと嵌合するカム溝７０１ｄ、内カム筒６０１の直進キー６０１ｅと嵌合する７０１ｅが設けられている。
【００１５】
第２直進筒７０２の外周部には、固定筒８０２の直進溝８０２ｃと嵌合する直進キー７０２ｂ、外カム筒７０１のカム溝ｆと嵌合するフォロア７０２ａが設けられている。また、第２直進筒７０２の内周部には、４群レンズ枠４０２の直進キー４０２ｂと嵌合する直進溝７０２ｄ、内カム筒６０１のフォロア６０１ａと嵌合するカム溝７０２ｃが設けられている。
【００１６】
固定筒８０２の外周部には、回転筒８０１のカム溝８０１ｂと嵌合するフォロア８０２ａが設けられている。また、固定筒８０２の内周部には、５群ベース５１０の直進キー５０１ｂと嵌合する直進溝８０２ｄ、第２直進筒７０２の直進キー７０２ｂと嵌合する直進溝８０２ｃ、外カム筒７０１のフォロア７０１ａと嵌合するカム溝８０２ｂが設けられている。
【００１７】
回転筒８０１の外周部には、ズーム駆動部９１０と連結するギア部８０１ｄが設けられている。また、回転筒８０１の内周部には、固定筒８０２のフォロア８０２ｃと嵌合するカム溝８０１ｂ、外カム筒７０１の直進キー７０１ｂと嵌合する直進溝８０１ａ、５群ベース５１０のフォロア５１０ａと嵌合するカム溝８０１ｃが設けられている。回転筒８０１は、外側にカバー筒８０３が配置され、回転筒８０１、固定筒８０２を挟む形でセンサーホルダ９０１に固定される。
【００１８】
１群ユニット１００は、バリア機構を有する。バリア機構は、１群レンズ１０１を保持する１群レンズ枠１０３、１群鏡筒１０２、バリアドライブリング１１０、複数枚のバリア羽根１１１ａ、１１１ｂ、１１１ｃ、１１１ｄ、バリアばね（不図示）、１群キャップ１０４を備える。１群鏡筒１０２の内周部には、第１直進筒６０２の直進キー６０２ａと嵌合する直進溝（不図示）、内カム筒６０１のカム溝６０１ｃと嵌合するフォロア１０２ａが設けられている。
【００１９】
２群ユニット２００は、２群レンズ２０１、２群レンズ枠２０２を有する。２群ユニット２００には、内カム筒６０１のカム溝６０１ｄと嵌合するフォロア２０２ａ、第一直進筒６０２の直進溝６０２ｂと嵌合する直進キー２０２ｂが設けられている。
【００２０】
３群ユニット３００は、４群ユニット４００と隣接する第２レンズ群として機能する。手振れ補正機構、シャッタ・絞りユニット３２０を有する。手振れ補正機構は、手振れによる画像のブレ（像ブレ）を抑制する機構である。３群ベース３０２には、第１直進筒６０２の直進溝６０２ｃと嵌合する直進キー３０２ｂ、外カム筒７０１のカム溝７０１ｅと嵌合するフォロア３０２ａが設けられている。
【００２１】
３群レンズ枠３１０及び３１１は、シャッタ・絞りユニット３２０を挟む形で配置されている。また、３群レンズ３０１ａ及び３０１ｂ、３群レンズ枠３１０に一対のＩＳマグネット３１２が保持されている（図９、図１０）。
【００２２】
３群ベース３０２には、ＩＳマグネット３１２と対抗する位置に一対のＩＳコイル３６０が固定されている（図９、図１０）。３群ベース３０２は、ＩＳスプリング（不図示）の張力により、複数のＩＳボール３４０を介して、３群レンズ枠３１０を光軸に直交する面内で移動可能に保持するベース部材である。ＩＳマグネット３１２の被写体側には、ＦＰＣ３３０に保持された一対のホール素子３３１が、ＩＳマグネット３１２と対抗する位置でＩＳセンサーホルダ３５０に保持されている（図９、図１０）。
【００２３】
３群レンズ枠３１０及び３１１は、ＦＰＣ３３０を介して、ＩＳコイル３６０に通電される。これにより、ＩＳコイル３６０とＩＳマグネット３１２との間にローレンツ力が働き、３群レンズ枠３１０及び３１１が、光軸に直交する面内で移動し、ホール素子３３１により位置制御されることで、手振れによる像ブレを抑制する。
【００２４】
４群ユニット４００は、５群ユニット５００及び５群ユニット５００内の退避レンズ群５００ａ（図６）と、３群ユニット３００とに隣接する第１レンズ群として機能する。４群ユニット４００は、４群レンズ４０１と、４群レンズ４０１を保持する４群レンズ枠４０２とを有する。４群レンズ枠４０２には、外カム筒７０１のカム溝７０１ｄと嵌合するフォロア４０２ａ、第２直進筒７０２の直進溝７０２ｄと嵌合する直進キー４０２ｂが設けられている。
【００２５】
図３および図６に示す５群ユニット５００は、フォーカス機構を有するフォーカスレンズ群として機能する。フォーカス機構は、５群レンズ５０１、５群レンズ枠５０２、５群カバー５０３、ＡＦベース５０４、ＡＦカバー５０５、ＡＦスプリング５０６、ラック５０７、ラックスプリング５０８、５群ベース５１０、メインガイド軸５１１を有する。また、フォーカス機構は、フォーカスモーター５１２、ＦＰＣ５１３、ねじ５１４、ナット５１５を有する。
【００２６】
退避レンズ群５００ａは、５群レンズ５０１を５群レンズ枠５０２、５群カバー５０３により保持することで構成されている。５群レンズ枠５０２は、角部５０２ｂとフォロア５０２ａを備える。ＡＦベース５０４は、ラック５０７、ラックスプリング５０８を保持する。また、ＡＦベース５０４は、回転軸５０４ａを有している。ＡＦベース５０４は、回転軸５０４ａがフォロア５０２ａに係合することで、５群レンズ枠５０２を光軸と直交する面方向で回転可能に保持する。ＡＦカバー５０５は、ＡＦスプリング５０６を介し、５群レンズ枠５０２を光軸方向へ付勢する形でＡＦベース５０４に組みつけられる。
【００２７】
５群ベース５１０は、メインガイド軸５１１が圧入され、ＦＰＣ５１３が接続されたフォーカスモーター５１２が、ねじ５１４及びナット５１５により固定される。また、５群ベース５１０には、回転筒８０１のカム溝８０１ｃと嵌合するフォロア５１０ａ、固定筒８０２の直進溝８０２ｄと嵌合する直進キー５０１ｂを有する。
【００２８】
ＡＦベース５０４は、メインガイド軸５１１と、５群ベース５１０に設けられたサブガイド５１０ｃにより回転規制される。フォーカスモーター５１２が駆動すると、スクリュー５１２ａとラック５０７の送りを利用することで、ＡＦベース５０４が光軸方向の任意の位置へ進退して、ピント調整可能となる。センサーホルダ９０１は、ズーム駆動部９１０を保持し、光学素子９０２、センサーラバー９０３、撮像素子９００を保持する。
【００２９】
レンズ鏡筒２０のズーム駆動について説明する。ズーム駆動部９１０により回転筒８０１が回転駆動されると、外カム筒７０１が、回転筒８０１と固定筒８０２の作用により、回転しながら光軸方向へ移動する。内カム筒６０１は、第１直進筒６０２により回転自在に保持され、外カム筒７０１は、第２直進筒７０２により回転自在に保持されている。外カム筒７０１が、回転筒８０１により回転駆動されると、内カム筒６０１が外カム筒７０１により回転駆動される。また、第１直進筒６０２及び第２直進筒７０２が、３群ベース３０２を介して固定筒８０２により回転規制されることで、外カム筒７０１及び内カム筒６０１が回転しながら光軸方向へ移動する。
【００３０】
１群ユニット１００、２群ユニット２００は、第１直進筒６０１により回転規制され、また内カム筒６０１の作用により光軸方向へ直進移動する。３群ユニット３００、４群ユニット４００は、第２直進筒７０２により回転規制され、また外カム筒７０１の作用により光軸方向へ直進移動する。５群ユニット５００は、５群ベース５１０が固定筒８０２に回転規制されるとともに、回転筒８０１の作用により光軸方向へ直進移動する。
【００３１】
ＡＦベース５０４は、メインガイド軸５１１、サブガイド５１０ｃにより回転規制される。また、ＡＦベース５０４は、フォーカスモーター５１２の出力軸に一体に形成されたリードスクリュー５１２ａとラック５０７の作用により、回転筒８０１や固定筒８０２の作用にかかわらず、５群ベース５０２に保持された状態で光軸方向へ直進移動する。以上の作用により、レンズ鏡筒２０において、ズーム駆動部９１０により回転筒８０１が回転駆動されることで各レンズ群が繰り出され、フォーカスモーター５１２がＦＰＣ５１３を介して駆動されることで、５群レンズ５０１が任意の位置に繰り出される。これにより、レンズ鏡筒２０が、沈胴状態から撮影状態へと移行する。
【００３２】
次に、図７乃至図１１を参照して、５群ユニット５００の退避方法について説明する。図７および図８は、退避レンズ群５００ａおよび第１直進筒６０２が、撮影状態から沈胴状態へと移行する際の動きを説明する図である。図７（Ａ）、図７（Ｃ）、図８（Ａ）、図８（Ｃ）は、退避レンズ群５００ａと第１直進筒６０２を正面から見たときの状態を示す。図７（Ｂ）、図７（Ｄ）、図８（Ｂ）、図８（Ｄ）は、退避レンズ群５００ａと第１直進筒６０２の断面を示す。図７（Ｂ）は、図７（Ａ）に対応する。図７（Ｄ）は、図７（Ｃ）に対応する。図８（Ｂ）は、図８（Ａ）に対応する。図８（Ｄ）は、図８（Ｃ）に対応する。
【００３３】
図９は、撮影状態における、３群ユニット３００、４群ユニット４００、５群ユニット５００の状態を示す図である。図９（Ｂ）は、３群ユニット３００、４群ユニット４００、５群ユニット５００を正面から見たときの状態を示す。図９（Ａ）は、３群ユニット３００、４群ユニット４００、５群ユニット５００の断面を示す。
【００３４】
図１０は、沈胴状態における、３群ユニット３００、４群ユニット４００、５群ユニット５００の状態を示す図である。図１０（Ｂ）は、３群ユニット３００、４群ユニット４００、５群ユニット５００を正面から見たときの状態を示す。図１０（Ａ）は、３群ユニット３００、４群ユニット４００、５群ユニット５００の断面を示す。
【００３５】
レンズ鏡筒２０が撮影状態から沈胴状態へ移行するとき、各筒の作用により、第１直進筒６０２が、図７（Ａ）、図７（Ｂ）に示す状態から、矢印Ａ方向へと移動を開始し、第１直進筒６０２と５群ユニット５００の距離が近づく。
【００３６】
第１直進筒６０２にはカム部６０２ｃが設けられており、５群レンズ枠５０２には角部５０２ｂが設けられている。図７（Ｃ）、図７（Ｄ）に示すように、沈胴状態への移行が進むと、カム部６０２ｃと角部５０２ｂとが当接する。
【００３７】
さらに沈胴状態へと移行が進むと、図８（Ａ）、（Ｂ）に示すように、退避レンズ群５００ａが、カム部６０２ｃと角部５０２ｂの作用により、回転軸５０４ａを中心に光軸と直交する面方向（矢印Ｂ方向）へ回転しながら退避を開始する。
【００３８】
レンズ鏡筒２０の撮影状態から沈胴状態への移行が完了すると、カム部６０２ｃと角部５０２ｃの作用により、退避レンズ群５００ａは光軸上からの退避が完了し、図８（Ｃ）、図８（Ｄ）に示すように沈胴待機位置に配置される。
【００３９】
ここで、５群レンズ５０１及び５群レンズ枠５０２の形状について着目する。５群レンズ５０１には、使用領域外の外周に第１切り欠き部５０１ａと第２切り欠き部５０１ｂが形成されている。これにより、５群レンズ５０１は、非円形形状を有する。また、５群レンズ５０１の形状にならう形で、５群レンズ枠５０２および５群カバー５０３も非円形形状を有する（図９（Ｂ）、図１０（Ｂ））。
【００４０】
レンズ鏡筒２０が沈胴状態へと移行し、退避レンズ群５００ａが沈胴待機位置へ退避した時を想定する。この時、退避レンズ群５００ａが退避した後に第２切り欠き部５０１ｂによって形成される領域（スペース）に、４群レンズ４０１と４群レンズ枠４０２の一部４０２ｃ、及び３群レンズ３０１と３群レンズ枠３１１の一部３１１ａとが収納される。
【００４１】
また、第１切り欠き部５０１ａによって形成される領域のうち、４群レンズ枠４０２の最外周部４０２ｅより内側の領域であるスペース５０１ｃに、４群レンズ枠４０２の外周部の一部４０２ｄが収納される。４群レンズ枠４０２の外周部の一部４０２ｄは、具体的には、４群レンズ枠４０２のフォロア４０２ａの一部である。また、同時に、スペース５０１ｃには、３群ベース３２０の一部３２０ｄが収納される。３群ベース３２０の一部３２０ｄは、具体的には、３群ベース３０２のフォロア３０２ａの一部である。これにより、フォロア４０２ａ及び３０２ａのレイアウトの自由度が向上する。
【００４２】
図１１は、沈胴状態における退避レンズ群とその近傍のレンズ群の関係を説明する図である。
図１１中の退避レンズ０１は、退避レンズ群５００ａが備える５群レンズ５０１に対応する。第１切り欠き部０１ａは、第１切り欠き部５０１ａに対応する。第２切り欠き部０１ｂは、第１切り欠き部５０１ｂに対応する。
【００４３】
退避レンズ０１は、使用領域外の外周に第１切り欠き部０１ａ、第２切り欠き部０１ｂが設けられた非円形形状を有する。沈胴状態において、第２切り欠き部０１ｂによって形成されるスペースに、第２切り欠き部０１ｂに隣接する１群ユニットのレンズ０２と１群ユニットの一部０３ａとが配置される。また、第１切り欠き部０１ａによって形成される領域のうち、１群ユニットの最外周部０３ｂより内側の領域であるスペース０１ｃに、１群ユニットの外周部の一部が配置される。
【００４４】
従来、フォーカス群を退避させて沈胴長を短縮させる場合、退避群を鏡筒の最外径よりも外側まで退避させて沈胴していたので、鏡筒のサイズが大きくなっていた。また、従来のレンズ鏡筒では、鏡筒側面にはレンズを退避させるための穴が空いてしまい、強度や、耐環境性などの信頼性が低下してしまっていた。
【００４５】
本実施形態のレンズ鏡筒では、退避群である５群レンズ５０１の使用領域外の外周部に第１切り欠き部５０１ａと第２切り欠き部５０１ｂを設ける。そして、沈胴状態において、退避レンズ群５００ａが退避した後に第２切り欠き部５０１ｂによって形成されるスペースに４群レンズ４０１及び４群レンズ枠４０２の一部４０２ｃとが配置される。また、第１切り欠き部５０１ａによって形成される領域のうち、４群ユニット４０２の最外周部４０２ｅより内側の領域であるスペース５０１ｃに、４群レンズ枠４０２の外周部の一部４０２ｄが配置される。
【００４６】
さらに、退避レンズ群５００ａが退避した後に第２切り欠き部５０１ｂによって形成されるスペースに、３群レンズ３０１及び３群レンズ枠３１１の一部３１１ａが配置される。また、第１切り欠き部５０１ａによって形成される領域のうち、４群ユニット４０２の最外周部４０２ｅより内側の領域であるスペース５０１ｃに、３群ベース３０２の一部３０２ｄが配置される。したがって、退避レンズ群５００ａをレンズ鏡筒２０の最外径よりも外側まで退避させることなく鏡筒内に収納することが可能となり、レンズ鏡筒２０の小型化を図ることができる。また、レンズ鏡筒２０の側面に退避するための穴をあける必要がないので、レンズ鏡筒２０の小型化や、強度、耐環境性などの信頼性を損なうことを防止している。さらに、スペース５０１ｃに、４群レンズ枠４０２の外周部の一部４０２ｄ、３群ベース３０２の一部３０２ｄが配置可能となることで、レイアウトの自由度が向上する。
【００４７】
以上、本発明の好ましい実施形態について説明したが、本発明はこれらの実施形態に限定されず、その要旨の範囲内で種々の変形及び変更が可能である。
【符号の説明】
【００４８】
５０１  ５群レンズ
５０１ｂ  第２切り欠き部
５０１ａ  第１切り欠き部
【図１】
2017107127.tif 000003
【図２】
2017107127.tif 000004
【図３】
2017107127.tif 000005
【図４】
2017107127.tif 000006
【図５】
2017107127.tif 000007
【図６】
2017107127.tif 000008
【図７】
2017107127.tif 000009
【図８】
2017107127.tif 000010
【図９】
2017107127.tif 000011
【図１０】
2017107127.tif 000012
【図１１】
2017107127.tif 000013